【手続補正書】
【提出日】平成17年7月20日(2005.7.20)
【手続補正１】
【補正対象書類名】明細書
【補正対象項目名】特許請求の範囲
【補正方法】変更
【補正の内容】
【特許請求の範囲】
【請求項１】  第１および第２のテキスト入力間の類似性を判定する方法であって、
前記第１テキスト入力に基づいて、第１論理形態集合を得るステップと、
前記第２テキスト入力に基づいて、第２論理形態集合を得るステップと、
前記第１および第２論理形態集合を比較するステップと、
前記比較するステップに基づいて、前記第１および第２テキスト入力間の類似性を判定するステップと、
を含む方法。
【請求項２】  請求項１記載の方法において、比較するステップが、
前記第１集合における論理形態が前記第２集合における論理形態と一致するか否かについて判定するステップを含む、方法。
【請求項３】  請求項２記載の方法において、類似性を判定するステップが、
前記第１および第２論理形態集合間の一致に基づいて、前記第１および第２テキスト入力間の類似の度合いを反映するスコアを割り当てるステップを含む、方法。
【請求項４】  請求項１記載の方法であって、更に、
前記第１論理形態集合に基づいて、第１言い換え論理形態集合を得るステップを含む、方法。
【請求項５】  請求項４記載の方法において、前記比較するステップが、
前記第１言い換え論理形態集合を前記第２論理形態集合と比較するステップと、
前記第１言い換え論理形態集合内の言い換え論理形態が、前記第２論理形態集合内の論理形態と一致するか否かについて判定を行なうステップと、
を含む方法。
【請求項６】  請求項５記載の方法であって、更に、
前記第２論理形態集合に基づいて、第２言い換え論理形態集合を得るステップを含む、方法。
【請求項７】  請求項６記載の方法において、前記比較するステップが、更に、
前記第１言い換え論理形態集合を前記第２言い換え論理形態集合と比較するステップと、
前記第１言い換え論理形態集合内の言い換え論理形態が、前記第２言い換え論理形態集合内の言い換え論理形態と一致するか否かについて判定を行なうステップと、
を含む、方法。
【請求項８】  請求項１記載の方法において、前記第１テキスト入力が、情報検索クエリを含み、前記第２テキスト入力が、前記クエリに基づいて検索した少なくとも１つの文書を含む、方法。
【請求項９】  請求項１記載の方法において、前記第２テキスト入力が、情報検索クエリを含み、前記第１テキスト入力が前記クエリに基づいて検索した少なくとも１つの文書を含む、方法。
【請求項１０】  請求項５記載の方法において、前記第１論理形態集合を得るステップが、
前記第１テキスト入力に基づいて、原型単語と、該原型単語間の原型構造関係を得るステップを含む、方法。
【請求項１１】  請求項１０記載の方法において、前記原型構造関係が、前記原型単語間の原型構造関係を含み、第１言い換え論理形態集合を得るステップが、
前記原型単語に意味的に関係があり、前記原型構造関係で接続されている、拡大単語を含む、追加の論理形態を得るステップ、
を含む方法。
【請求項１２】  請求項１１記載の方法において、前記原型単語が、前記原型構造関係によって接続されている、第１原型単語および第２原型単語を含み、追加の論理形態を得るステップが、
前記第１原型単語を語彙に関して拡大して、前記第１原型単語に意味的に関係する第１関係単語を含ませるステップ、
前記第２原型単語を語彙に関して拡大して、前記第２原型単語に意味的に関係する第２関係単語を含ませるステップ、
前記原型構造関係によって前記第１および第２関係単語の異なるものを互いに接続して、前記追加の論理形態を得るステップ、
のうち少なくとも１つを含む、方法。
【請求項１３】  請求項１２記載の方法において、前記第１原型単語を語彙に関して拡大するステップ、または前記第２原型単語を語彙に関して拡大するステップが、
前記第１および第２原型単語に対する同義語を得るステップ、
を含む方法。
【請求項１４】  請求項１２記載の方法において、前記第１原型単語を語彙に関して拡大するステップ、または前記第２原型単語を語彙に関して拡大するステップが、
前記第１および第２原型単語に対する上位語を得るステップ、
を含む方法。
【請求項１５】  請求項１２記載の方法において、前記第１原型単語を語彙に関して拡大するステップ、または前記第２原型単語を語彙に関して拡大するステップが、
前記第１および第２原型単語に対する下位語を得るステップ、
を含む方法。
【請求項１６】  請求項１０記載の方法において、第１言い換え論理形態集合を得るステップが、
前記原型構造関係に関係する拡大構造関係を得るステップと、
前記原型単語を前記拡大構造関係と接続して、前記言い換え論理形態を得るステップと、
を含む方法。
【請求項１７】  請求項１６記載の方法において、第１論理形態集合を得るステップが、更に、
前記原型単語に意味的に関係する拡大単語を得るステップと、
前記拡大単語を前記原型構造関係と接続するステップと、
を含む方法。
【請求項１８】  請求項１７記載の方法において、前記第１言い換え論理形態集合を得るステップが、更に、
前記拡大単語を前記拡大構造関係と接続するステップ、
を含む方法。
【請求項１９】  請求項１０記載の方法において、前記第１論理形態集合が、少なくとも１つの含有単語を含み、第１言い換え論理形態集合を得るステップが、
前記含有単語に基づいて、第１抽象的論理形態集合を得るステップ、
を含む方法。
【請求項２０】  請求項１９記載の方法において、前記第１テキスト入力が、文書検索クエリを含み、第１抽象的論理形態集合を得るステップが、
前記第１抽象的論理形態集合を発生するのに先立ち、前記クエリをキーワード・クエリとして識別するステップを含み、該クエリの構造に基づいて、前記含有単語を他の含有単語によって変更させない、方法。
【請求項２１】  請求項１０記載の方法において、前記第２テキスト入力が文書を含み、更に、
前記第２論理形態集合に基づいて、第２言い換え論理形態集合を得るステップ、
を含む方法。
【請求項２２】  請求項２１記載の方法において、前記第２論理形態集合を得るステップが、
前記文書のメタ構造を示す抽象的論理形態集合を得るステップ、
を含む方法。
【請求項２３】  請求項２２記載の方法において、前記文書のメタ構造が、前記文書の全体的主題を示す、方法。
【請求項２４】  請求項２３記載の方法において、前記文書のメタ構造を示す前記抽象的論理形態集合を得るステップが、
前記文書に対応するフォーマット情報に基づいて、前記抽象的論理形態集合を得るステップ、
を含む方法。
【請求項２５】  請求項２３記載の方法において、前記文書のメタ構造を示す前記抽象的論理形態集合を得るステップが、
前記文書内の文章の題目に基づいて、前記抽象的論理形態集合を得るステップ、
を含む方法。
【請求項２６】  請求項２３記載の方法において、前記文書のメタ構造を示す前記抽象的論理形態集合を得るステップが、
前記文書内の文章の主語に基づいて、前記抽象的論理形態集合を得るステップ、
を含む方法。
【請求項２７】  請求項２１記載の方法であって、更に、前記含有単語に基づいて、前記第１および第２言い換え論理形態集合以外の、他の論理形態を抑制するステップを含む、方法。
【請求項２８】  クエリに応答して文書記憶装置から検索した文書集合内の文章を濾過する方法であって、
前記クエリおよび前記文書集合内の文書から選択した１つに基づいて、第１論理形態集合を得るステップと、
前記クエリおよび前記文書集合内の文書の別の１つに基づいて、第２論理形態集合を得るステップと、
少なくとも前記第１論理形態集合の言い換えを示す、第１言い換え論理形態集合を得るステップと、
前記第１言い換え論理形態集合と前記第２論理形態集合との間の所定の関係に基づいて、前記文書集合内の文書を濾過するステップと、
を含む方法。
【請求項２９】  請求項２８記載の方法において、前記濾過するステップが、
前記所定の関係に基づいて、前記文書集合内の前記文書のランク付け順序を示す出力を与えるステップを含む、方法。
【請求項３０】  クエリに応答して文書記憶装置から検索した文書集合内の文章を濾過する方法であって、
前記クエリおよび前記文書集合から選択した１つに基づいて、第１論理形態集合を得るステップと、
前記クエリと前記文書集合の他の１つに基づいて、第２論理形態集合を得るステップと、
少なくとも前記第１論理形態集合内にある第１所定クラスの論理形態を抑制するステップであって、第１抑制論理形態集合を得る、ステップと、
前記第１抑制論理形態集合と前記第２論理形態集合との間の所定関係に基づいて、前記文書集合内の前記文書を濾過するステップと、
を含む方法。
【請求項３１】  請求項３０記載の方法において、前記抑制するステップが、
所定の構造を有する論理形態を抑制するステップ、
を含む方法。
【請求項３２】  請求項３０記載の方法において、前記抑制するステップが、
スレシホルド頻度レベルを上回る頻度で発生する論理形態を抑制するステップ、
を含む方法。
【請求項３３】  請求項３０記載の方法であって、更に、
前記第２論理形態集合内にある第２所定クラスの論理形態を抑制するステップを含み、該第２所定クラスが、前記第１所定クラスとは異なる、方法。
【請求項３４】  請求項３０記載の方法において、前記第１論理形態集合を得るステップの前に、抑制するステップを実行する、方法。
【請求項３５】  請求項３０記載の方法において、前記第１論理形態集合を得るステップと実質的に同時に、抑制するステップを実行する、方法。
【請求項３６】  請求項３０記載の法において、前記第１論理形態集合を得るステップの後に、抑制するステップを実行する、方法。
【請求項３７】  コンピュータ読み取り可能媒体であって、それに格納してあるコンピュータ読み取り可能データを含み、該コンピュータ読み取り可能データが、
文書集合内の文書の内容を示すインデックス・データと、
前記文書集合内の前記文書の各々のメタ構造を示す抽象的論理形態集合と、
を含むコンピュータ読み取り可能媒体。
【請求項３８】  請求項３７記載のコンピュータ読み取り可能媒体において、各文書の前記メタ構造が、前記文書の全体的な主題を示す、コンピュータ読み取り可能媒体。  
【請求項３９】  請求項３８記載のコンピュータ読み取り可能媒体において、前記抽象的論理形態集合が、各文書に対応するフォーマット情報に基づく、コンピュータ読み取り可能媒体。
【請求項４０】  請求項３８記載のコンピュータ読み取り可能媒体において、前記抽象的論理形態が、各文書内の文章の題目に基づく、コンピュータ読み取り可能媒体。
【請求項４１】  請求項３８記載のコンピュータ読み取り可能媒体において、前記抽象的論理形態集合が、各文書内の文章の主語に基づく、コンピュータ読み取り可能媒体。
【請求項４２】  コンピュータ読み取り可能媒体であって、それに格納してあるコンピュータ読み取り可能命令を含み、該コンピュータ読み取り可能命令をコンピュータが実行したとき、以下のステップ、即ち、
クエリおよび文書集合の文書から選択した１つに基づいて、第１論理形態集合を得るステップと、
前記クエリと前記文書集合の文書の他の１つに基づいて、第２論理形態集合を得るステップと、
自然言語処理を用いて少なくとも前記第１論理形態集合を変更して、第１変更論理形態集合を得るステップと、
前記第１変更論理形態集合と前記第２論理形態集合との間の所定の関係に基づいて、前記文書集合内の文書を濾過するステップと、
を実行することによって、前記クエリに応答して文書記憶装置からの前記文書集合内にある文書を前記コンピュータに濾過させる、コンピュータ読み取り可能媒体。
【請求項４３】  第１および第２のテキスト入力間の類似性を判定する方法であって、
前記第１テキスト入力に基づいて第１論理形態集合を得るステップと、
前記第２テキスト入力に基づいて第２論理形態集合を得るステップと、
少なくとも前記第１論理形態集合内の第１所定クラスの論理形態を抑制する  ステップであって、第１抑制論理形態集合を得る、ステップと、
前記第１抑制論理形態集合と前記第２論理形態集合とを比較することによって、前記第１および第２テキスト入力間の類似性を判定するステップと、
を含む方法。
【請求項４４】  請求項６記載の方法において、前記第１言い換え論理形態集合を得るステップは、第１言い換え技法を用いて実行し、前記第２言い換え論理形態集合を得るステップは、前記第１言い換え技法とは異なる第２言い換え技法を用いて実行する、方法。